(57)【特許請求の範囲】
【請求項１】
引き戸の下框又は上框に取り付けるガイドベースと該ガイドベースに摺動自在及び固定自在に且つ取外自在とした鎖錠体とよりなる引き戸用補助錠であって、
前記ガイドベースは、板状の横長のベース本体の上端縁前方と下端縁前方とに、夫々水平板部と該各水平板部の先端に先端面同士が向き合うようにしたガイド板部を設けた構成としたガイドレール部を対向して設けたものであって、また、各ガイドレール部の先端面であるガイド板部の先端面に鋸歯状部を設けたものであり、
また、前記鎖錠体は前記各ガイドレール部に上下端を摺動自在に嵌合できるスライド受板と、該スライド受板の前面に枢着した係止板に上下端の一方側には爪部を設けて前記各ガイドレール部の一方の先端面に設けた鋸歯状部に係合できるものとして、また、両側に戸止部材を設けた作動ケースを前記スライド受板の前方を覆うものとして、
さらに、前記鎖錠体は作動ケースに、シリンダー錠を設けて、該シリンダー錠は前記係止板の爪部を前記鋸歯状部に係合するように押圧及び解除するカム状突起をロータ本体の下端に設けてなり、また、該シリンダー錠はロータ本体を前記ガイドベースの前面に対して上下方向において傾斜させて該シリンダー錠の鍵穴に挿入する操作用の鍵が引き戸の前面に対して上下方向において傾斜してなることを特徴とする引き戸用補助錠。
【請求項２】
前記係止板の爪部が前記鋸歯状部に係合しない方向に付勢するばねを設けた請求項１に記載の引き戸用補助錠
【発明の詳細な説明】
【技術分野】
【０００１】
本発明は、引き戸の下框側と上框側のどちらにも取り付けて使用できるうえ施錠・開錠作業も容易に行うことのできる引き戸用補助錠に関するものである。
【背景技術】
【０００２】
引き戸用補助錠としては、例えば、特許文献１（実公昭５０−３１３３６号公報）、特許文献２（実公昭５１−５２６０７号公報）や特許文献３（特許第３９３４３３２号公報）に記載のものが知られている。
【０００３】
前記特許文献１に開示されているものは、引き戸の下框側と上框側のどちらにも取り付けて使用できるものである。しかし、これは開錠する場合に係止金具に設けたレバーの爪の固定金具の鋸歯状突起への係止を解除するには、手指でレバーを押し下げてその状態を保持して係止金具をスライドさせる必要があり操作が面倒であった。
【０００４】
また、特許文献２に開示されているものは、戸当たり用の係止突片が摺動杆の一方の先端側にのみに設けたものであり、また、施錠・開錠の操作するための鍵穴が摺動杆の上面側を向いたものであるため、引き戸の下框側に取り付けて使用できるが、上框側に取り付けて使用できないものである。
【０００５】
また、特許文献３に開示されているものは、引き戸の下框側と上框側のどちらにも取り付けて使用できるものである。しかし、これは施錠・開錠の操作するための操作部がスラドプレートの前面側に臨んでるため操作を前面側から行う必要があり、高い箇所である引き戸の上框側に取り付けて使用する場合には背の低い人にあっては操作が面倒である。
【先行技術文献】
【特許文献】
【０００６】
【特許文献１】実公昭５０−３１３３６号公報
【特許文献２】実公昭５１−５２６０７号公報
【特許文献３】特許第３９３４３３２号公報
【発明の概要】
【発明が解決しようとする課題】
【０００７】
本発明は前記のような問題を解決して、引き戸の下框側と上框側のどちらにも取り付けて使用できるうえ、施錠・開錠作業も容易に行うことのできる引き戸用補助錠を提供することを目的として完成されたものである。
【課題を解決するための手段】
【０００８】
本発明の引き戸用補助錠は、引き戸の下框又は上框に取り付けるガイドベースと該ガイドベースに摺動自在及び固定自在に且つ取外自在とした鎖錠体とよりなる引き戸用補助錠であって、前記ガイドベースは、板状の横長のベース本体の上端縁前方と下端縁前方とに、夫々水平板部と該水平板部の先端に先端面同士が向き合うようにしたガイド板部を設けた構成としたガイドレール部を対向して設けたものであって、また、各ガイドレール部の先端面であるガイド板部の先端面に鋸歯状部を設けたものであり、また、前記鎖錠体は前記各ガイドレール部に上下端を摺動自在に嵌合できるスライド受板と、該スライド受板の前面に枢着した係止板に上下端の一方側には爪部を設けて前記各ガイドレール部の一方の先端面に設けた鋸歯状部に係合できるものとして、また、両側に戸止部材を設けた作動ケースを前記スライド受板の前方を覆うものとして、さらに、前記鎖錠体は作動ケースに、シリンダー錠を設けて、該シリンダー錠は前記係止板の爪部を前記鋸歯状部に係合するように押圧及び解除するカム状突起をロータ本体の下端に設けてなり、また、該シリンダー錠はロータ本体を前記ガイドベースの前面に対して上下方向において傾斜させて該シリンダー錠の鍵穴に挿入する操作用の鍵が引き戸の前面に対して上下方向において傾斜してなることを特徴とするものを基本の発明とする。
【０００９】
また、前記係止板の爪部が前記鋸歯状部に係合しない方向に付勢するばねを設けることが好ましいものである。
【発明の効果】
【００１０】
前記した本発明の引き戸用補助錠は、鎖錠体を外したガイドベースを外側の引き戸の下框又は上框或いは双方に取り付けて、その後にガイドベースに鎖錠体を取り付けて使用するものである。
【００１１】
この場合、鎖錠体は、前記ガイドベースに設けた鋸歯状部に係止板の爪部を係合させるため前記係止板を押圧及び解除するカム状突起を下端に連設したロータ本体を設けたシリンダー錠が、前記スライド受板に対して傾斜させて該シリンダー錠の鍵穴に挿入する操作用の鍵が引き戸の前面に対して傾斜するで、外側の引き戸の下框に取り付けて使用する場合は、該シリンダー錠の鍵穴が斜め上方を向くように鎖錠体を下框に取り付けたガイドベースに摺動自在に嵌合する。そうすると、施錠・開錠は鍵の頭部を斜め上方から操作して行うことができるので、低い箇所の引き戸の下框に取り付け場合にも施錠・開錠操作が容易に行うことができるものである。
【００１２】
また、高い箇所である引き戸の上框側に取り付けて使用する場合には、上框に取り付けたガイドベースに一旦取り外した鎖錠体をシリンダー錠３の鍵穴が斜め上方を向くように嵌合する。すなわち、前記下框に取り付け場合の鎖錠体を上下に反転してガイドベースに摺動自在に嵌合するものである。そうすると、施錠・開錠は鍵の頭部を斜め下方から操作して行うことができるので、高い箇所である引き戸の上框に取り付けた場合にも施錠・開錠操作が容易に行うことができるものである。
【００１３】
本発明は前記したように、引き戸の下框又は上框の両方に取り付けても、ガイドベース１の上下に対向させて形成したガイドレール部１１に夫々先端面に鋸歯状部を設けたものであるので、鎖錠体を上下に反転しても、前記係止板の上下端の一方側に設けた爪部は、必ず該係止板の枢動によりどちらか一方のガイドレール部の先端面に設けた鋸歯状部に係合できるので、鍵によるシリンダー錠の操作によりロータ本体の下端に連設けカム状突起が前記係止板の爪部を的確に前記鋸歯状部に係合するように押圧及び解除して施錠・開錠を行うことができるものである。
【００１４】
また、前記鎖錠体の作動ケースの両側に戸止部材を設けているので、鎖錠体を上下に反転して両側が左右方向で反転しても的確に戸止部材が内側の引き戸の縦框の側面に当るものである。
【００１５】
また、前記係止板の爪部が前記鋸歯状部に係合しない方向に付勢するばねを設けることにより、開錠状態において爪部が鋸歯状部に係合することを防止でき、鎖錠体のガイドベースへの摺動の妨げとならず、戸止部材を的確な位置とすることができるものである。
【図面の簡単な説明】
【００１６】
【図１】本発明の実施形態を示す全体の正面図。
【図２】本発明の実施形態を鎖錠状態として示す側面側からの概略断面図。
【図３】本発明の実施形態を開錠状態として示す側面側からの概略断面図。
【図４】本発明の実施形態を鎖錠状態として係止板を示す概略図。
【図５】本発明の実施形態を開錠状態として係止板を示す概略図。
【図６】本発明の実施形態のシリンダー錠を組み込んだ鎖状ケースを示す背面図。
【図７】本発明の実施形態に使用するばねの組み込み状態を示す一部切欠側面図。
【図８】本発明の引き戸用補助錠を引き戸に取り付けた状態を示す正面図。
【発明を実施するための形態】
【００１７】
次に、本発明の好ましい実施の形態を図面に基づき説明する。
【００１８】
図１において、１は引き戸の下框又は上框に取り付けるガイドベースである。２は該ガイドベースに摺動自在及び固定自在に且つ取外自在とした鎖錠体である。
【００１９】
前記ガイドベース１は、図２〜図５に示すように板状の横長のベース本体１０の上端縁前方と下端縁前方とに、上端縁前方と下端縁前方とに、夫々水平板部11a、11aと該水平板部11a、11aの先端に先端面同士が向き合うようにしたガイド板部を設けた構成としたガイドレール部１１、１１を対向して設けたものである。また、各ガイドレール部１１、１１の先端面であるガイド板部11b、11bの先端面に鋸歯状部１２を設けている。
【００２０】
また、前記鎖錠体２は図２−図５に示すように前記上下のガイドレール部１１、１１に上下端を摺動自在に嵌合できるスライド受板２０と、該スライド受板２０の前面に枢着した係止板２１に上下端の一方側には爪部２１ａを設けて前記各ガイドレール部１１、１１の一方の先端面に設けた鋸歯状部１２に係合できるものとしている。
【００２１】
また、前記鎖錠体２は前記スライド受板２０の前方を作動ケース２２により覆うように、該スライド受板２０に作動ケース２２を取り付けている。また、該作動ケース２２の両側には戸止部材２３、２３を設けている。
【００２２】
さらに、前記鎖錠体２は作動ケース２２に、シリンダー錠３を設けてある。該シリンダー錠３は図２、図３及び図７に示すように前記係止板２１の爪部２１ａを前記鋸歯状部１２に係合するように押圧及び解除するカム状突起３１をロータ本体３０の下端に設けている。また、該シリンダー錠３は図２−図３に示すようにロータ本体３０を前記ガイドベース１に対して上下方向において傾斜させて該シリンダー錠３の鍵穴に挿入する操作用の鍵４が引き戸の前面に対して上下方向において傾斜するものとしている。すなわち、ロータ本体３０を前記ガイドベース１に対して先端側から鍵穴に向けて内角側を４５度の角度で傾斜させている。
【００２３】
なお、前記シリンダー錠３は、作動ケース２２に一体に設けた筒状枠部２２ａにロータ本体３０を組み込んで筒状枠部２２ａの下端開口よりカム状突起３１を突出させたものである。また、該シリンダー錠３は鍵４により施錠状態及び開錠状態となる場合には、その位置を保持するための手段を設けている。この手段の一例を挙げれば、ロータ本体３０の周面に出没自在な一個の球体を設けてロータ本体３０の鍵操作による回動で該球体を筒状枠部２２ａの内面に設けた２箇所の凹部に嵌合自在として、それぞれの凹部が施錠位置と開錠位置と対応させたものである。
【００２４】
また、図４、図５及び図７に示すように前記鎖錠体２の係止板２１の爪部２１ａが前記鋸歯状部１２に係合しない方向に付勢するばね５を設けている。このばね５は引っ張りコイルばね５よりなり両端に設けた環状部５１、５１を係止板２１に設けた係止突起５２とスライド受板２０に設けた係止突起５３に係止している。そして、図７に示すように止チュウブ５４により環状部５１、５１が係止突起５２、係止突起５３から外れることを防止している。
【００２５】
また、図４に示すように係止板２１がばね５によりその下端が下方に位置する鋸歯状部１２に接触することを防止するためのストッパ６をスライド受板２０に突設してある。
【００２６】
このように構成されたものは、鎖錠体２を外したガイドベース１を外側の引き戸（イ）の下框（ロ）又は上框（ハ）或いは双方に取り付けて、その後にガイドベース１に鎖錠体２を取り付けて使用するものである。
【００２７】
この場合、鎖錠体２は、前記ガイドベース１に設けた鋸歯状部１２に係止板２１の爪部２１ａを係合させるため前記係止板２１を押圧及び解除するカム状突起３１を下端に連設したロータ本体３０を設けたシリンダー錠３が、前記スライド受板２０に対して傾斜させて該シリンダー錠３の鍵穴に挿入する操作用の鍵４が引き戸（イ）の前面に対して上下方向において傾斜しているので、外側の引き戸（イ）の下框（ロ）に取り付けて使用する場合は、該シリンダー錠３の鍵穴が斜め上方を向くように鎖錠体２を下框（ロ）に取り付けたガイドベース１に摺動自在に嵌合する。そうすると、施錠・開錠は鍵４の頭部を斜め上方から操作して行うことができるので、低い箇所の引き戸の下框（ロ）に取り付け場合にも施錠・開錠操作が容易に行うことができるものである。
【００２８】
すなわち、鍵４を操作して、先ずシリンダー錠３のロータ本体３０の下端に連設したカム状突起３１を、図３に示すように前記ガイドベース１に設けた鋸歯状部１２に係止板２１の爪部２１ａに係合しない状態とする前記係止板２１を押圧解除位置に回動する。そうすると、鋸歯状部１２と係止板２１の爪部２１ａは係合していないので鎖状体２はガイドベース１に摺動自在となり該鎖状体２はガイドベース１に対して位置調節できることとなるので、鎖錠体２の作動ケース２２の両側に設けた戸止部材２３の一方である内側の引き戸の縦框（ニ）側に臨む戸止部材２３を該縦框（ニ）の側面に当ることができる。続いて、鍵４を逆に操作して、シリンダー錠３のロータ本体３０の下端に連設したカム状突起３１を、図２に示すように前記ガイドベース１に設けた鋸歯状部１２に係止板２１の爪部２１ａに係合する状態とする前記係止板２１を押圧位置に回動する。そうすると、鋸歯状部１２と係止板２１の爪部２１ａは係合して鎖状体２はガイドベース１に固定されることとなり、鎖錠体２が作動ケース２２に設けた戸止部材２３により内側の引き戸を施錠するととなる。
【００２９】
また、高い箇所である引き戸（イ）の上框（ハ）側に取り付けて使用する場合には、上框（ハ）に取り付けたガイドベース１に一旦取り外した鎖錠体２をシリンダー錠３の鍵穴が斜め上方を向くように嵌合する。すなわち、前記下框（ロ）に取り付け場合の鎖錠体２を上下に反転してガイドベース１に摺動自在に嵌合するものである。そうすると、施錠・開錠は鍵４の頭部を斜め下方から操作して行うことができるので、高い箇所である引き戸（イ）の上框（ハ）に取り付けた場合にも施錠・開錠操作が容易に行うことができるものである。
【００３０】
本発明は前記したように、引き戸（イ）の下框（ロ）又は上框（ハ）の両方に取り付けても、ガイドベース１の上下に対向させて形成した溝状のガイドレール部１１に夫々先端面に鋸歯状部１２を設けたものであるので、鎖錠体２を上下に反転しても、前記係止板２１の上下端の一方側に設けた爪部２１ａは、必ず該係止板２１の枢動によりどちらか一方のガイドレール部１１、１１の先端面に設けた鋸歯状部１２に係合できるので、鍵４によるシリンダー錠３の操作によりロータ本体３０の下端に連設けカム状突起３１が前記係止板２１の爪部２１ａを的確に前記鋸歯状部１２に係合するように押圧及び解除して施錠・開錠を行うことができるものである。
【００３１】
また、前記鎖錠体２の作動ケース２２の両側に戸止部材２３を設けているので、鎖錠体２を上下に反転して両側が左右方向で反転しても的確に戸止部材２３が内側の引き戸の縦框（ニ）の側面に当るものである。
【００３２】
また、前記係止板２１の爪部２１ａが前記鋸歯状部１２に係合しない方向に付勢するばね５を設けることにより、開錠状態において爪部２１ａが鋸歯状部１２に係合することを防止でき、鎖錠体２のガイドベース１への摺動の妨げとならず、戸止部材２３を的確な位置とすることができるものである。
【符号の説明】
【００３３】
１  ガイドベース
10  ベース本体
11  ガイドレール部
12  鋸歯状部
２  鎖錠体
20  スライド受板
21  係止板
21a 爪部
22  作動ケース
23  戸止部材
３  シリンダー錠
30  ロータ本体
31  カム状突起
４  鍵
【図１】
0006025112.tif 000002
【図２】
0006025112.tif 000003
【図３】
0006025112.tif 000004
【図４】
0006025112.tif 000005
【図５】
0006025112.tif 000006
【図６】
0006025112.tif 000007
【図７】
0006025112.tif 000008
【図８】
0006025112.tif 000009